(57)【要約】【課題】展開状態の平面シートのまま営業店舗に搬入でき、紙製容器が立体形状で使用された後は容易に展開状態のシート材にして廃棄できる紙製容器を提供する。【解決手段】展開状態のシート材Ｓを立体形状の紙製容器（角筒体）３０に組立てた後、組立てた紙製容器３０にひも状の提げ手部材を取付けて立体形状を固定するように構成した。【選択図】　図１
2004051155.tif 000002
【特許請求の範囲】
【請求項１】
矩形な底面部の各辺に側面部を延設し、隣り合う側面部の間に連結部を連設し、前記連結部には、前記底面部の隅角部から先端にまで直線状に延長する折れ線によって左右対称に折込片を形成し、前記左右の折込片の先端部近傍には、前記折れ線に対し左右対称の位置に通孔を開設してなるシート材と、
提げ手部の両端に留め具を設けてなる提げ手部材とからなり、
前記シート材を、底面部から各側面部を直立するように折って上面が開放する角筒体を構成し、前記角筒体の隅角辺から外部に延長する前記連結部を前記折れ線の山折りにより折込片を重ね合わせて重合部を形成するとともに、前記折込片の重ね合わせで通孔が合致することにより重合孔を設け、
前記角筒体の対向する側面部の一方の外側に沿うように隣り合う前記重合部を折って先端一部を重合させ、左右の重合部の先端一部の重合により前記重合孔を一致させて係合孔を設け、
角筒体の対向する側面部の外側に設けた前記重合部の係合孔に、前記提げ手部材の各留め具を係止させてなることを特徴とする提げ手付き紙製容器。
【請求項２】
提げ手部材の各端部の留め具は、提げ手部の先端に設けた基板に軸部を突設し、前記軸部の先端にストッパー片を提げ手部から相反する方向に延在させてなり、前記係合孔に前記ストッパー片を挿通して軸部を装着してなる請求項１に記載の提げ手付き紙製容器。
【請求項３】
提げ手部材の各端部の留め具は、係合孔に嵌り込む係合部が二股の雌雄係合によるホック構造である請求項１に記載の提げ手付き紙製容器。
【発明の詳細な説明】
【０００１】
【発明の属する技術分野】
この発明は、内部に食料品などを収納して吊り下げることができる提げ手付き紙製容器に関するものである。
【０００２】
【従来の技術】
食料品などの収納に使用される紙製容器としては、例えば特開平８−１５１０３０号公報に記載されている。上記従来の紙製容器１２０は、図１０に示す一枚の平面状のシート材から形成した展開図から組立てられる。即ち、シート材には、正方形状底部１０１の四辺に折線１０５ａ，１０６ａ，１０７ａ，１０８ａを介して４つの側壁部１０５、１０６、１０７、１０８を設け、隣り合う側壁部間には折線１０５ｃ、１０５ｄ、１０６ｃ、１０６ｄ、１０７ｃ、１０７ｄ、１０８ｃ、１０８ｄを介して重畳部１１５、１１６、１１７、１１８を連設し、前記折線１０５ａ，１０６ａ，１０７ａ，１０８ａ及び折線１０５ｃ、１０５ｄ、１０６ｃ、１０６ｄ、１０７ｃ、１０７ｄ、１０８ｃ、１０８ｄに沿ってそれぞれ内側に折り曲げ、また各重畳部の折線１１５ａ、１１６ａ、１１７ａ、１１８ａを山折りにすると、図１１に示すように、上部が開口するとともに上方に拡開する四角筒体を組立てることができる。そして、組立てられた四角筒体の各重畳部の上部において、各重畳部と各側壁とを接着したり、または、綴金具にて固定すると安定した紙製容器１２０を構成することができる。
【０００３】
【発明が解決しようとする課題】
従来の紙製容器は、一枚の平面状のシート材から形成した展開状態の紙製容器を立体形状に組立てているので、立体形状の紙製容器は多数個積み重ねた状態で箱詰めされ、又は、適当に折り畳んで平面状にしてから箱詰めされて営業店舗に搬入される。そのため、紙製容器を搬入可能な状態にするための工数がかかり、コスト高となっている。また、営業店舗で紙製容器が使用された後も、利用者によって立体形状のままゴミ箱に廃棄されることが多く、ゴミ箱がすぐに紙製容器で一杯になってしまうという問題がある。
【０００４】
本発明は、上記課題を解決するために提案されたもので、紙製容器を展開状態のシート材のまま営業店舗に搬入できるが、主として紙製容器の使用された後はきわめて容易に展開状態のシート材に解体して、薄い状態でそのまま廃棄できる紙製容器を提供することを目的とする。
【０００５】
【課題を解決するための手段】
上記目的を達成させるために、本願の請求項１記載の発明は、矩形の底面部の各辺に側面部を延設し、隣り合う側面部の間に連結部を連設し、前記連結部には、前記底面部の隅角部から先端にまで直線状に延長する折れ線によって左右対称に折込片を形成し、前記左右の折込片の先端部近傍には、前記折れ線に対し左右対称の位置に通孔を開設してなるシート材と、提げ手部の両端に留め具を設けてなる提げ手部材とからなり、前記シート材を、底面部から各側面部を直立するように折って上面が開放する角筒体を構成し、前記角筒体の隅角辺から外部に延長する前記連結部を前記折れ線の山折りにより折込片を重ね合わせて重合部を形成するとともに、前記折込片の重ね合わせで通孔が合致することにより重合孔を設け、前記角筒体の対向する側面部の一方の外側に沿うように隣り合う前記重合部を折って先端一部を重合させ、左右の重合部の先端一部の重合により前記重合孔を一致させて係合孔を設け、角筒体の対向する側面部の外側に設けた前記重合部の係合孔に、前記提げ手部材の各留め具を係止させてなることを特徴とする提げ手付き紙製容器である。
【０００６】
請求項２記載の発明は、上記の提げ手部材の各端部の留め具は、提げ手部の先端に設けた基板に軸部を突設し、前記軸部の先端にストッパー片を提げ手部から相反する方向に延在させてなり、前記係合孔に前記ストッパー片を挿通して軸部を装着してなるものである。
【０００７】
請求項３記載の発明は、上記の提げ手部材の各端部の留め具は、係合孔に嵌り込む係合部が二股の雌雄係合によるホック構造であるものである。
【０００８】
【発明の実施の形態】
以下、実施の形態を示す図面に基づいて本発明を詳細に説明する。図１は第１の実施の形態の斜視図、図２は図１のひも状の提げ手部材の留め具を拡大した斜視図であり、図３は図１のひも状の提げ手部材と紙製容器の斜視図、図４は図１の提げ手付き紙製容器のＡ−Ａ線での断面図である。また、図５は一枚の平面状のシート材から形成した図３の紙製容器の展開図、図６は図５のシート材を立体形状に組立てた紙製容器の斜視図、図７は第２の実施の形態のひも状の提げ手部材の斜視図、図８は図１の紙製容器とひも状の提げ手部材の留め具での部分拡大断面図、図９は図５のシート材を複数枚積み重ねた状態の斜視図である。
【０００９】
紙製容器に組立てる前の展開状態のシート材Ｓは、複数枚積み重ねた状態で保存したり搬送することができる。したがって、図９に示すように作業場に複数枚積み重ねた状態にして置いておき、シート材Ｓを一枚ずつ取出して紙製容器を組み立てて使用する。ここでは先ず、紙製容器に組立てる前の展開状態のシート材Ｓの構成について図５を参照して説明する。
図５において、矩形の底面部１０の長辺１ａ，１ｂには側面部１１，１２が延設され、また、短辺２ａ，２ｂには側面部１３，１４が延設されている。これらの４つの側面部１１，１２，１３，１４は、それぞれ側辺の長さが等しく、底辺より上辺が僅かに長い台形状である。
【００１０】
前記側面部１１は底辺１ａと上辺３ａ及び左右の側辺４ａ，４ｂで囲まれ、側面部１１に対向する側面部１２は底辺１ｂと上辺３ｂ及び２つの側辺４ｃ，４ｄで囲まれ、また、側面部１３は底辺２ａと上辺５ａ及び２つの側辺４ｅ，４ｆで囲まれ、側面部１３に対向する側面部１４は底辺２ｂと上辺５ｂ及び２つの側辺４ｇ，４ｈで囲まれている。
【００１１】
隣り合う側面部１１，１４の間には連結部２１を連設し、連結部２１には、底面部１０の隅角部１０ａから先端６ａにまで直線状に延長する折れ線７ａによって左右対称に折込片２１ａ，２１ｂを形成し、前記左右の折込片２１ａ，２１ｂの先端部近傍には、前記折れ線７ａに対し左右対称の位置に通孔８ａ，８ｂが開設されている。また、隣り合う側面部１４，１２の間には連結部２２を連設し、連結部２２には、底面部１０の隅角部１０ｂから先端６ｂにまで直線状に延長する折れ線７ｂによって左右対称に折込片２２ａ，２２ｂを形成し、前記左右の折込片２２ａ，２２ｂの先端部近傍には、前記折れ線７ｂに対し左右対称の位置に通孔８ｃ，８ｄが開設されている。また、隣り合う側面部１１，１３の間には連結部２３を連設し、連結部２３には、底面部１０の隅角部１０ｃから先端６ｃにまで直線状に延長する折れ線７ｃによって左右対称に折込片２３ａ，２３ｂを形成し、前記左右の折込片２３ａ，２３ｂの先端部近傍には、前記折れ線７ｃに対し左右対称の位置に通孔８ｅ，８ｆが開設されている。また、隣り合う側面部１３，１２の間には連結部２４を連設し、連結部２４には、底面部１０の隅角部１０ｄから先端６ｄにまで直線状に延長する折れ線７ｄによって左右対称に折込片２４ａ，２４ｂを形成し、前記左右の折込片２４ａ，２４ｂの先端部近傍には、前記折れ線７ｄに対し左右対称の位置に通孔８ｇ，８ｈが開設されている。
【００１２】
また、側面部１１の上部には内中蓋片９ａが延設され、側面部１２の上部内中蓋片９ｂが延設されている。また、側面部１３の上部には先端に鍵部４０ａを延長した中蓋片２０ａが延設され、側面部１４の上部先端の少し手前に鍵部４０ａが挿入されて係合する切込み４０ｂを設けた中蓋片２０ｂが延設されている。
【００１３】
次に、展開状態のシート材Ｓから組立てられる立体形状の紙製容器について図６を参照して説明する。図６において、展開状態のシート材Ｓの矩形状の底面部１０の各辺１ａ，１ｂ，２ａ，２ｂに底面部１０から各側面部１１，１２，１３，１４を直立するように折って上面が開放する角筒体３０を形成する。
【００１４】
この際、角筒体３０の隅角辺４ｂ，４ｇから外部に延長する連結部２１を折れ線７ａの山折りにより折込片２１ａ，２１ｂを重ね合わせて重合部３１を形成するとともに、折込片２１ａ，２１ｂの重ね合わせで通孔８ａ，８ｂが合致することにより重合孔１９ａを設ける。同様に、角筒体３０の隅角辺４ｈ，４ｃから外部に延長する連結部２２を折れ線７ｂの山折りにより折込片２２ａ，２２ｂを重ね合わせて重合部３２を形成するとともに、折込片２２ａ，２２ｂの重ね合わせで通孔８ｃ，８ｄが合致することにより重合孔１９ｂを設ける。また、角筒体３０の隅角辺４ａ，４ｆから外部に延長する連結部２３を折れ線７ｃの山折りにより折込片２３ａ，２３ｂを重ね合わせて重合部３３を形成するとともに、折込片２３ａ，２３ｂの重ね合わせで通孔８ｅ，８ｆが合致することにより重合孔１９ｃを設ける。同様に、角筒体３０の隅角辺４ｅ，４ｄから外部に延長する連結部２４を折れ線７ｄの山折りにより折込片２４ａ，２４ｂを重ね合わせて重合部３４を形成するとともに、折込片２４ａ，２４ｂの重ね合わせで通孔８ｇ，８ｈが合致することにより重合孔１９ｄを設ける。こうして紙製容器は展開状態のシート材Ｓから立体形状の角筒体３０に組立てられる。
【００１５】
次に、第１の実施の形態のひも状の提げ手部材Ｒ１を取付けた紙製容器について、図１乃至図４を参照して説明する。ひも状の提げ手部材Ｒ１は、一本の鍵状の留め具５０がひも状の提げ手部５１の両端に設けられた形状で、提げ手部５１の両端に厚みのある円形の基板５２が形成され、この基板５２に同軸に突出して軸５３が形成され、軸５３の先端に提げ手部５１から相反する方向に延在して軸５３と交差方向に一定長さ突出する鍵状のストッパー片５４が形成されたもので、留め具５０は円形の基板５２と軸５３及び鍵状のストッパー片５４から構成されている。
【００１６】
図６で説明した角筒体３０は上部が開口しているが、角筒体３０内に商品（図示しない）を収納した後で、対向配置されている一対の内中蓋片９ａ，９ｂを折り曲げて角筒体３０の上部の開口を覆い、さらにその外側で、先端に鍵部４０ａを延長した中蓋片２０ａと切込み４０ｂを設けた中蓋片２０ｂを折り曲げて鍵部４０ａを切込み４０ｂに挿入係合して、角筒体３０の上部の開口を閉塞する。また、角筒体３０の側面部１４の外側に沿うように隣り合う重合部３１，３２を折って先端一部を重合させ、左右の重合部の先端一部の重合により、重合孔１９ａ，１９ｂを一致させて係合孔２９ａを設けておき、また、側面部１４と対向する側面部１３の外側に沿うように隣り合う重合部３３，３４を折って先端一部を重合させ、左右の重合部の先端一部の重合により、重合孔１９ｃ，１９ｄを一致させて係合孔２９ｂを設けておく。
【００１７】
角筒体３０の係合孔２９ａにひも状の提げ手部材Ｒ１の鍵状のストッパー片５４を挿入して、軸５３を係合孔２９ａに遊嵌すると円形の基板５２と鍵状のストッパー片５４が係合孔２９ａの両外側に位置して角筒体３０の側面部１３，１４の各外側でひも状の提げ手部材Ｒ１の一方の留め具５０が重合部３１，３２と係合する。同様に、角筒体３０の係合孔２９ｂにひも状の提げ手部材Ｒ１の他方の留め具５０のストッパー片５４を挿入して、他方の留め具５０が、重合部３３，３４と係合して、角筒体３０にひも状の手提部材Ｒ１が取付けられて立体形状が固定され、提げ手付き紙製容器Ｂ１が完成する。
【００１８】
次に、第２の実施の形態のひも状の提げ手部材Ｒ２を取付けた提げ手付き紙製容器Ｂ２（図示しない）について、図７及び図８を参照して説明する。ひも状の提げ手部材Ｒ２は、ホック構造の留め具６０がひも状部分６１の両端に設けられた形状で、ひも状部分６１の両端は二股に延設されて一対の分岐部６１ａ，６１ｂが形成されている。そして、一方の分岐部６１ａの先端には厚みのある円形の基板６２が形成され、この基板６２から同軸に突出して軸６３が形成され、軸６３の先端はフランジ状の係合部６４となっている。
【００１９】
また、他方の分岐部６１ｂの先端には厚みのある円形の基板６５が形成され、この基板６５と同軸に孔６６が形成されている。係合部６４を孔６６に押し付けることで係合部６４は孔６６に嵌り込に嵌り込んで係合し、係合部６４と孔６６を引き離すことで係合が解除されるもので、留め具６０は円形の基板６２、軸６３と係合部６４及び円形の基板６５、孔６６から構成されている。
【００２０】
この第２の実施の形態のひも状の提げ手部材Ｒ２を上記の角筒体３０に取付ける場合にも、角筒体３０の側面部１４の外側に沿うように隣り合う重合部３１，３２を折って先端一部を重合させ、左右の重合部の先端一部の重合により、重合孔１９ａ，１９ｂを一致させて係合孔２９ａを設けておき、また、側面部１４と対向する側面部１３の外側に沿うように隣り合う重合部３３，３４を折って先端一部を重合させ、左右の重合部の先端一部の重合により、重合孔１９ｃ，１９ｄを一致させて係合孔２９ｂを設けておく。
【００２１】
そして、係合孔２９ａにひも状の提げ手部材Ｒ２の円形の基板６２から同軸に突出した軸６３を挿入して、軸６３を係合孔２９ａに挿通させて軸６３の先端の係合部６４を円形の基板６５の孔６６に押し付けて係合すると円形の基板６２と６５が係合孔２９ａの両外側に位置して角筒体３０の側面部１３，１４の各外側でひも状の提げ手部材Ｒ２の一方の留め具６０が重合部３１，３２と係合する。同様に、角筒体３０の係合孔２９ｂにひも状の提げ手部材Ｒ２の他方の留め具６０の円形の基板６２に同軸に突出した軸６３を挿入して、他方の留め具６０が、重合部３３，３４と係合して、角筒体３０にひも状の手提部材Ｒ２が取付けられて立体形状が固定され、提げ手付き紙製容器Ｂ２が完成する。
【００２２】
上記した提げ手部材Ｒ１（又はＲ２）が取付けられた提げ手付き紙製容器Ｂ１（Ｂ２）の内部に例えば食料品を収納して展示したり販売に供するのであるが、内部の商品を消費したら不要であるから、提げ手部材Ｒ１（又はＲ２）の留め具を係合孔から取り外せば、底面部、側面部及び連結部が接着剤や止着具で固定されていないので、きわめて簡単に展開状態のシート材Ｓに戻すことができる。
【００２３】
【発明の効果】
以上説明したように本発明の紙製容器は展開状態のシート材を立体形状の角筒体に組立てた後、角筒体にひも状の手提部材を取付けて立体形状が固定されるように構成したので、内部に商品を収納しても形状が安定することができる。そして、展開状態のシート材をそのまま、多数積み重ねた状態で箱詰めして営業店舗に搬入したり保管できるが、特に使用済みの場合に、提げ手部材の留め具を係合孔から取り外せば、底面部、側面部及び連結部が接着剤や止着具で固定されていないので、きわめて簡単に展開状態のシート材に戻すことができる。したがって、廃棄状態では嵩張ることがないので、例えばドライブイン、ファーストフーズ店などにおいては、シート状に薄くしてゴミ箱に投入できるので、ゴミ箱がすぐに紙製容器で満杯になってしまうこともなくなり、また、リサイクルにも優れる等極めて実用的価値の高いものである。
【図面の簡単な説明】
【図１】本発明に係る第１の実施の形態のひも状の提げ手部材と紙製容器の斜視図である。
【図２】図１のひも状の提げ手部材の留め具を拡大した斜視図である。
【図３】図１の紙製容器にひも状の提げ手部材を取付けた状態の斜視図である。
【図４】図１のＡ−Ａ線での断面図である。
【図５】図１の紙製容器の展開状態のシート材の平面図である。
【図６】図５のシート材を折り曲げて立体形状に組立てた紙製容器の斜視図である。
【図７】第２の実施の形態のひも状の提げ手部材の斜視図である。
【図８】図１の紙製容器とひも状の提げ手部材の留め具での部分拡大断面図である。
【図９】展開状態のシート材を複数枚積み重ねた状態の斜視図である。
【図１０】従来の紙製容器の展開図である。
【図１１】従来の紙製容器の斜視図である。
【符号の説明】
１ａ，１ｂ　長辺
２ａ，２ｂ　短辺
３ａ，３ｂ，５ａ，５ｂ，　上辺
４ａ，４ｂ，４ｃ，４ｄ，４ｅ，４ｆ，４ｇ，４ｈ　側辺
６ａ，６ｂ，６ｃ，６ｄ，先端
７ａ，７ｂ，７ｃ，７ｄ　折れ線
８ａ，８ｂ，８ｃ，８ｄ，８ｅ，８ｆ，８ｇ，８ｈ　通孔
９ａ，９ｂ　内中蓋片
１０　底面部
１０ａ，１０ｂ，１０ｃ，１０ｄ　隅角部
１１，１２，１３，１４　側面部
１９ａ，１９ｂ，１９ｃ，１９ｄ　重合孔
２０ａ，２０ｂ　中蓋片
２１，２２，２３，２４　連結部
２１ａ，２１ｂ，２２ａ，２２ｂ，２３ａ，２３ｂ，２４ａ，２４ｂ　折込片
２９ａ，２９ｂ　係合孔
３０　角筒体
３１，３２，３３，３４　重合部
４０ａ　鍵部
４０ｂ　切込み
５０，６０　留め具
５１，６１　提げ手部
５２，６２，６５　円形の基板
５３，６３　軸
５４　ストッパー片
６１ａ，６１ｂ　分岐部
６４　係合部
６６　孔
Ｓ　シート材
Ｂ１　紙製容器
Ｒ１，Ｒ２　提げ手部材
【図１】
2004051155.tif 000003
【図２】
2004051155.tif 000004
【図３】
2004051155.tif 000005
【図４】
2004051155.tif 000006
【図５】
2004051155.tif 000007
【図６】
2004051155.tif 000008
【図７】
2004051155.tif 000009
【図８】
2004051155.tif 000010
【図９】
2004051155.tif 000011
【図１０】
2004051155.tif 000012
【図１１】
2004051155.tif 000013